(57)【特許請求の範囲】
【請求項１】
合成樹脂シートを素材として熱成形され、フランジを突設した口部と胴壁、底壁とからなり、胴壁より外方へ膨出し容器の内部圧力の変化に応じて変形するとともに復元力を有する胴壁より薄肉の凸部を設けたカップ状容器を、
内周面がカップ状容器の胴壁と同形を有する充填装置のカップ取付部に押し込んで装着し、
凸部を胴壁の取付部内周面に沿って変形させた状態で内容液を充填した後に、蓋シートをフランジに融着し、シールしたことを特徴とするカップ状容器の形成方法。
【発明の詳細な説明】
【技術分野】
【０００１】
本発明は、カップ状容器の形成方法、とくに胴壁に変形可能な膨出部、または陥没凹部を設けたカップ状容器の形成方法に関するものである。
【背景技術】
【０００２】
カップ状容器において、容器の底壁を変形可能とし、底壁が上方に湾曲した状態の容器に、ゼリー、デザート、豆腐のような内容物を充填し、樹脂フィルム等の蓋体によりシールすると同時に、蓋体を下向きに押圧して、蓋体とともに、底蓋を下向きに湾曲した状態に変形復元するようにした容器、或いは、胴壁を水平方向から押圧して容器胴壁を圧縮し、内圧を上昇させ、底壁を下向きに湾曲させるようにした容器は、従来より知られている（例えば、特許文献１参照）。
【特許文献１】特開２００２−６８２９６号公報
【発明の開示】
【発明が解決しようとする課題】
【０００３】
しかしながら、上記特許文献１記載のカップ状容器では、底壁が折返部を介して上げ底となっており、成形が簡単でなく、胴壁と折返部との隙間に、内容物が入り込むという問題があった。
内容物の充填、シール後に、押圧パッドを用いて蓋を下向きに押圧し、同時に底壁全体を下向き湾曲状態に変形させているので、底壁の変形に大きな力を必要とし、装置が大きくなるという問題があった。
また、胴壁を圧縮する場合にも、同様に大きな圧縮力と、特殊な装置が必要となるという問題があった。
【０００４】
また、カップ状容器が小型の場合には、装置が大きく簡単なものでないので、上記特許文献記載の技術を小型容器に利用できないという問題があった。
【０００５】
本発明は、上記の問題点を解決することを課題とし、容器の胴壁に、内圧の変化に応じて変形する可変面部を形成し、減圧の吸収、発生するガスによる内圧上昇に対応できるカップ状容器の形成方法を提供することを目的とする。
【課題を解決するための手段】
【０００６】
本発明は、上記の課題を解決するため、カップ状容器の形成方法として、合成樹脂シートを素材として熱成形され、フランジを突設した口部と胴壁、底壁とからなり、胴壁より外方へ膨出し容器の内部圧力の変化に応じて変形するとともに復元力を有する胴壁より薄肉の凸部を設けたカップ状容器を、内周面がカップ状容器の胴壁と同形を有する充填装置のカップ取付部に押し込んで装着し、凸部を胴壁の取付部内周面に沿って変形させた状態で内容液を充填した後に、蓋シートをフランジに融着し、シールしたことを特徴とする構成を採用する。
【発明の効果】
【０００９】
本発明は、カップ状容器の胴壁に、容器内圧力の変化に応じて、変形する可変面部を設け、可変面部の復元、反転により負圧状態を維持するようにしているので、シールの開封にあたって、内容物、液の噴出を防ぐことができる。
また、カップ状容器は、合成樹脂シートを素材として、熱成形され、可変面部は胴壁面から膨出しているので、薄肉とされ、変形が胴壁の円筒部分より容易となっている。
【発明を実施するための最良の形態】
【００１０】
次に、本発明のカップ状容器の形成方法について、実施例をあげ、図面を参照して説明する。
【実施例１】
【００１１】
図１において、Ａはカップ状容器であり、合成樹脂シートを用いて熱成形されている。  カップ状容器Ａは、上方を開放し、広口の口部１と胴壁２、および底壁３とからなり、口部１の上端周縁には、フランジ４が設けられている。
胴壁２には、内圧の変化に応じて変形するドーム状の凸部５が形成されている。
【００１２】
カップ状容器Ａは、真空成形、または圧空成形等公知の熱成形方法によって成形され、凸部５は、金型に成形凹部を設けることによって簡単に成形される。
そして、凸部５は、胴壁２から膨出されるので、薄肉とされ、胴壁円筒部より変形が容易となっている。
【００１３】
本発明のカップ状容器Ａには、内容物として、ゼリー、デザート、ヨーグルト、その他の飲食品、また、発酵によってガスを発生する食料品等が収納される。 
また、ミニ容器の場合には、卓上で使用でき、ミルク、蜜などを入れておくこともできる。
【００１４】
内容液の充填は、図２に示すように、カップ状容器Ａは、充填装置に搬送され、治具Ｂに装着され、所要の内容液が充填される。
【００１５】
治具Ｂは、カップ状容器Ａと同形で、やや大きい径を有する内周面６と底面７とからなる取付部８を具えている。
【００１６】
カップ状容器Ａは、その底壁３が取付部８の底面に当接するように押込まれ、押込みにあたって、ドーム状の凸部５は変形し、その表面は、取付部８の内周面６に沿って細かな凹凸面９となり、ほぼ円筒のカップ状となっている。
充填が終わったら、フランジ４に合成樹脂、アルミ等によって形成された蓋シートＣを熱融着し、図３に示すように、内部を密封する。
【００１７】
次に、内容液が充填され、蓋シートＣで密封されたカップ状容器の作用効果について説明する。
加熱殺菌された内容物が、熱充填されたときには、温度の下降とともに容器内は減圧され、蓋シートＣの下方への湾曲とともに凹凸面９が内方に変形して減圧が吸収される。
【００１８】
常温近くの内容物が充填されたときには、カップ状容器Ａを治具Ｂから取出したときに、凹凸面９は、凸部５の状態に復元しようとして膨出し、容器Ａ内が減圧され、負圧状態が維持される。
【００１９】
また、内容液が発酵性を有する場合は、時間とともに発酵ガスが発生し、内圧が増加するが、その際には、図４に示すように、凹凸面９が変形し、凸部５のように復元して容器内を減圧状態に維持する。
いずれの場合でも、最終的には凸部５が復元することにより、容器内は減圧状態に維持されるので、蓋シートＣをはがした場合には、内容物液が噴きこぼれることはない。
【実施例２】
【００２０】
次に、内圧の増加に応じて、変形可能な可変面部が外側に反転するようにした実施例について説明する。
図５（ａ）において、Ａａはカップ状容器であり、胴壁２の表面には、台形状の凹部１０が設けられている。
【００２１】
カップ状容器Ａａには、発泡性ガスを含有した内容液が充填され、シールが施される。
カップ状容器Ａａ内は蓋シートＣで密封されると同時に、発泡性ガスが発生し、内圧が上昇する。
その際、台形状の凹部１０は、内圧に応じて反転して、凸部１１が形成され、圧力増を吸収することができ、負圧状態を維持する。
【００２２】
また、図５（ｂ）に示すように、台形状の凹部１０に変え、台形状の凸部１０ａを設けてもよい。
その場合には、カップ状容器Ａａを治具Ｂの取付部８に装着するときに、第１実施例と同様に、台形状の凸部１０ａは、内方に膨出するように変形される。
【００２３】
内容物の充填、シール後には、内圧増とともに変形復元して圧力増を吸収することができ、負圧状態を維持することができる。
【００２４】
前記各実施例では、内圧吸収面として、凸部、凹部を円周上に１個所設けたが、一定間隔をおいて設けてもよく、その形状もドーム状、台形状など、実施例に限定されない。
また、カップ状容器の胴壁を断面円形としたが、四角形、その他の角形であってもよい。
【００２５】
前記各実施例において、凸部５、１０ａ、凹部１０等の可変面部を成形型部によって熱成形するようにしているが、成形型部に彫刻模様、絵柄模様を付してもよい。
そのことによって、加飾とともに、可変面部を変形させることができる。
また、可変面部だけでなく、胴壁の所望する個所に、彫刻模様を施すことによって、加飾とともに、可変面部を増設することができる。
【産業上の利用可能性】
【００２６】
カップ状容器の胴壁に、圧力の変化に応じて変形する可変面部を膨出するように設け、可変面部の復元、反転等により負圧状態を維持するようにしたので、開閉時に、内容物、液などの噴出を防止できるので、食料品、発泡性を有する飲料などのカップ状容器の形成方法として、広く利用できるようになった。
【図面の簡単な説明】
【００２７】
【図１】本発明第１実施例のカップ状容器の一部断面立面図である。
【図２】成形された容器を治具に装着したときの断面立面図である。
【図３】シールを施し、治具から取出したときの容器の斜視図である。
【図４】可変面部が復元したときの容器の断面立面図である。
【図５】（ａ）は第２実施例の容器の一部断面立面図、（ｂ）は他の実施例の容器の一部断面立面図である。
【符号の説明】
【００２８】
Ａ、Ａａ    カップ状容器
Ｂ          治具
Ｃ          蓋シート
１          口部
２          胴壁
３          底壁
４          フランジ
５、１０ａ、１１  凸部
６          内周面
７          底面
８          取付部
９          凹凸面
１０        凹部
【図１】
0005582463.tif 000002
【図２】
0005582463.tif 000003
【図３】
0005582463.tif 000004
【図４】
0005582463.tif 000005
【図５】
0005582463.tif 000006